(57)【要約】【課題】  １０００万人を超えると言われる水虫爪に悩む人が、安全に、家庭での自己治療を、出来る限り廉価で、行なえることを可能とする器具と方法を考案した。【解決手段】（イ）器具については、爪内部に薬剤浸透の状況実現が、要点の一つである為、棒の先端にヤスリ（又はサンド）による削切機能を持たせ（図１−ａ１）、一方動力は手動とするが、削切作業範囲を一定化させる補助部品（図２、図３）を考案し、安全と作業の容易化を計った。（ロ）方法については、発明器具の他、薬剤その他治療に必要な既存の器具、物品を取揃えて提供する方法により、自己治療取組を助ける。（ハ）更に、自己治療における不安と疑問等を解消し、自信や成功期待を持って、治療の必要と継続の為、自己治療体験記、水虫爪を放置する事の弊害等を纏めて提供する。【効果】  解決方法が見出せず悩む人や全体数の多さ等を考えるとその社会意義と経済価値は多大なものなる。【選択図】図４
2006055582.tif 000002
【特許請求の範囲】
【請求項１】
水虫爪の安全削切開孔器具セット
家庭治療において、水虫に侵された爪の一部を、安全に、手動による往復又は回転運動により削切開孔する器具セットであり（ａ）削切棒（先端部をヤスリ又はサンドとし爪の上表を削切開孔する機能）  （ｂ）受け皿（（ａ）の削切棒の回転又は往復運動での作業範囲を一定化させる機能）  （ｃ）固定バンド（（ｂ）の受け皿を固定する機能）からなる。
＊本来（ａ）があれば削切開孔目的を達成するが、安全の確保と作業の容易化の為（ｂ）（ｃ）がある。
【請求項２】
削切棒製作における棒部と固定運動の為の半球体固定部の連接方法
棒部と半球体部の各々に各一ケ所穴を開け、その穴と同径同長の棒を挿入し固定を確実化する一方強力接着剤をもって棒部と半球体固定部を連接する。
【請求項３】
削切棒製作における削切機能を持たせる方法
方法▲１▼  先端部４ｍｍ程度長にヤスリ目と焼きを入れ削切機能を持たせる。  方法▲２▼  先端部４ｍｍ程度長に、サンドペーパーに使用するサンドよりは強度のあるサンドを強力な接着剤をもって接着し削切機能を持たせる。
【請求項４】
固定バンドによる受け皿の固定方法と固定バンドのマジックテープ方式による着脱
爪の削切位置と範囲を一定化する為に受け皿があり、その受け皿を固定するのが固定バンドであるが、固定バンドは上下２枚層からなり、その間に受け皿を挟んで固定バンドと受け皿を一体固定化する。一方、固定バンドは指に巻き作業位置範囲を固定するが、マジックテープとし着脱が容易に出来るものとする。
【請求項５】
家庭治療に必要な器具と薬剤等の物品のセッティング
目的は、水虫爪の治療と解消にあり、薬剤の効用を得て可能となるが、家庭治療であり、自己治療者は、削切開孔器具の他に、どのような器具・物品が治療に必要であるかその知識とノウハウが充分でないことが多いと考えられる。一方、いずれにしても調達準備しなければならない器具や物品であることから、速やかに治療行為に移れる為、便益の為、器具、物品をセットにして提供することを家庭での自己治療の方法とする。
【請求項６】
爪水虫に関する知識啓蒙と心構えと取組方法の記述書
家庭での自己治療であり、利用者は当初、不安と疑問等を持つことが考えられる。これを解消し乗り越え、自らに行う治療への自信と期待を持ち、成功見通しを得る為、出願者等の体験記、水虫爪に関する公知の知識やデータ、器具の使用方法等を記載した文書を前記器具品と共に提供し、家庭での自己治療完全化の方法とする。
【発明の詳細な説明】
【技術分野】
【０００１】  本発明は、家庭における、水虫爪の自己治療を行う為、必要な或いは有益な器具と方法として考案した。日本において爪水虫に悩む人は１０００〜１２００万人とも言われるが、出願者自身を始め親族や近隣の人、出会う人の中にも同じ悩みを見聞すること多く、前記数字の実態なるを示している。  又、それらの人は、治療の為の物品、道具、方法や治療機関等を見出せなかったり、時間や費用の制約等あり、一方生活する上で重大障害にはならないことからストレスと治療希望を持ちながら放置している事例が多い。こうした人々に、家庭において、自らが、安全に治療出来る器具と必要な物品を提供し便益を供する。この器具と方法は、大きな社会有益をもたらすものと考えられる。
【背景技術】
【０００２】  水虫爪の家庭療法にあっては、熱砂の上を歩くに始まり、酢、馬油の塗布、市販薬剤の塗布等があり、一方、皮膚科医院等においては、爪の開孔薬剤塗布、新薬のパルス投薬による内服治療等が行われている。
しかし、家庭療法においては、治療効果を得ての問題解決に難渋し、また専門機関治療における開孔塗布技術の流布の不充分性、内服治療においては副作用やその心配と費用面から、流布が充分に行われず、上記のように多くの人が水虫爪を保有する現実にある。
類似の公開文献とその内容は次のようになっている。
【特許文献１】特許番号  第２５４７３０２号  登録日  平成８年８月８日（第２頁  図２）
電気で熱した金属針で爪を開孔する装置で、主として医療機関向けのものと思われる。【特許文献２】  特開２００４−１４８０６５  公開日  平成１６年５月２７日（第４頁  図１）
電動、手動、レーザーの力で削るという考え方の提案はあるが、手動（レーザーも）方式について、具体的実施方法の記載がなく、発明内容が不明。【特許文献３】  特開２００１−３４０１２９  公開日  平成１３年１２月１１日（第１頁  要約図）
陥入爪（肉部に陥入する爪）を掘り起こし、ヤスリで削り取る装置であるが、対象と使用方法に相違がある。
【発明の開示】
【発明が解決しようとする課題】
【０００３】（イ）（課題の背景）  水虫爪に悩む人は多いが、解決方法が分らない、費用と時間がかかる、皮膚科病院での治療に踏込めない、市販外用薬の塗布治療を試みるが解消し難い、一方ストレスを感じながらも何とか耐えられる等から、治癒解消を希望しながら水虫爪の拡大を放置している事例を多く見聞する。
一方、出願者自身も爪水虫に侵され、これが他の部位に拡がり、家族にも感染し、悩まされた後、解消した経験を持つが、水虫爪を放置することにより、水虫菌（白癬菌）が自分の他の部位（頭部、股部等）や他人に感染拡大し被害を増幅させる事実も少なくない。このことから水虫爪に悩む人自らが、安全を確保しながら家庭で行なう治療を助ける器具や物品を得、方法を知ることが求められる。
（ロ）（取組体験）  水虫菌（白癬菌）が爪甲等の内部にまで侵入した水虫爪は、水虫治療薬剤を（体験使用した市販の商品名：６１０ハップ）爪の表面から塗布しても、なかなか変化が見られず、治癒改善を得難いが、水虫爪の上表面の一部を削切開孔し、薬剤が爪内部に届く状態にして、薬剤を塗布したところ、水虫爪の拡大が止まり、健康な爪が伸びてきて、数ケ月で健康爪になる経験をした。即ち、水虫爪を上表面から削切開孔し、爪内部にまで水虫治療剤が浸透する状態にすることで、薬剤効果を得ること或いは格段に高い効果を得ることが出来ることを知った。
（ハ）  専門機関において、水虫爪上表の一部を切除して、薬剤を塗布して治療する考え方は提案され一部では行われているようであるが、かかる治療を受ける人は全体数からみると限定的であり、多くの人は悩みを抱えたままの現状にある。
かかる現状を打開するには、家庭において、自らが、安全性を持って、必要最低限度の時間と費用で、より確実性の高い、家庭治療の必要と有用を考えた。
（ニ）  かかる家庭における自己治療を行うには、安全性をもって削切開孔が出来る器具、その他治療に必要な物品が求められる。又重要なことは、自己治療者が信頼感と水虫爪が治るとの見通し感と自信を持ち、続けて行うという精神の部分も課題解決の重要ファクターである。
【課題を解決するための手段】
【０００４】（イ）  器具については、爪内部にまで薬剤が浸透する状態にする為、水虫爪を上表面から、素人が、自己治療の為、安全に削切開孔することを可能とする器具として考案した。その器具は、水虫爪を削切開孔する為先端４ｍｍの部分が削切機能を持つ棒、作業範囲を一定化する為の受け皿、受け皿を固定する固定バンドからなる。
（ロ）  方法については、上記の器具による削切開孔は最終目的への一プロセスであり、薬剤その他の助けを得て目的達成が可能になるが、薬剤その他治療に必要な既存の器具、物品を取揃えて提供することで、自己治療による完治を助けることにした。  その他の物品とは、薬剤（出願者は、６１０ハップを使用したが、白癬菌を殺菌する力のある、液状又はぜりー状もので市販されている薬剤）、脱脂面、ピンセット、等の市販品で構成される。
（ハ）  又もう一つの方法については、家庭での自己治療であり、利用者は当初、不安と疑問等を持つことが考えられる。これを解消し乗り越え、自らに行う治療への自信と期待を持ち、成功見通しを得る為の出願者等の体験記、更には爪水虫を放置することの弊害等公知の知識やデータ、器具の使用方法等を記載した文書であり、これを提供することで、自己治療への意欲と自信を持って継続取組を助けることとした。
【発明の効果】
【０００５】  この発明には、次のような効果がある。
（１）  削切開孔器具について
家庭における素人による自己治療であることから、手許の誤動作による過度な削切等が起こらないよう安全を重要要素としているが、
（イ）水虫爪の上表面から、少しずつ削切するので、爪下の肉部までを誤って切断する等の危険は乏しく、安全に水虫爪の上表面を削切開孔することが出来る。
（ロ）固定バンド（図３）と一体に固定された受け皿（図２）の運動中心点（図２−ｂ１）を中心として、回転又は往復運動を行うことから、削切開口する作業位置と範囲を一定に保つことが出来、過誤動作を防止することが出来る。
（ハ）削切棒の半球体凸部（図１−ａ２）と受け皿の半球体凹部（図２−ｂ２）が上下で接っしているので、削切棒に押圧力が発生し、削切が容易となる。
（ニ）削切棒を受け皿からはずし、単独で開孔部の不要物等を除去することが出来る。
（ホ）手動式であり、仕組みが簡素であることから、電動式等に比べて廉価による製造が可能であり、利用者の経済負担を軽減出来、利用し易くなる。利用者が増えれば、人々の水虫爪が減少し、一方快適さが増し、社会が明るくなる。
（２）  器具と物品のセッティングする方法について
（イ）水虫爪の完全治療には発明器具の他、薬剤、脱脂綿等の物品がいずれにしても必要になるが、これらについて、発明器具と一緒にセッティングして提供することにより、自己治療者は、自ら調達し取揃える手間と必要な物品を考えるステップを省ける一方、速やかに自己治療の作業に着手することが出来、完治成功を助けることが出来る。
（３）  体験記等記述文書について
（イ）家庭における自己治療であり、利用者は当初、不安と疑問等を持つことが考えられる。こうした心理障害を解消し乗り越え、自らに行う治療に自信と期待を持ち、成功見通しを得て、水虫爪の自己治療に取組む為、出願者等の体験記、更には爪水虫を放置することの弊害等公知の知識やデータ、器具の使用方法等を記載した文書を提供することで、自己治療への意欲と自信を持ち高め、自己治療への継続取組を助け、完治に導くことが出来る。
【発明を実施するための最良の形態】
【０００６】  （１）  水虫爪の安全削切開孔器具セット
（イ）目的    家庭治療において、水虫に侵された爪の一部を、安全に、手動による往復又は回転運動により削切開孔し、爪の内側に巣食う白癬菌に対する薬剤の直接塗布を可能にすることを目的とする。
（ロ）器具セットの部品構成    この器具は、（ａ）削切棒（図１）・・先端部をヤスリ又はサンドとし爪の上表を削切開孔することを主機能とする部品  （ｂ）受け皿（図２）・・（ａ）の削切棒の回転又は往復運動を半球体凹部（図２−ｂ２）で支え、削切開孔の作業範囲を一定化させることを主機能とする部品  （ｃ）固定バンド（図３）・・（ｂ）の受け皿を固定する（図３−ｃ１に包込む）ことを主機能とし、足又は手の水虫爪の指に巻き、マジックテープにより固定することが出来る部品  の３部品で構成される。
尚、固定バンド（図３）は、構造を表しており、寸法、厚み等形状の比率比較は実物とは異なる。他の図面においても同様である。
（ハ）削切棒の構造    削切棒の下端４ｍｍ部分は、目を入れて焼成したヤスリ（又はサンド）として削切機能を持たせる。
又、下端より５ｍｍ上方に半球体（図１−ａ２）の部品を固着し、受け皿と上下凹凸球面で接触することで、反発力発生と削切作業範囲の一定化を行い、又押圧力による削切を支援する構造とする。
更に、削切棒（ａ）と受け皿（ｂ）は分離出来るようにし、削切棒単独で、開孔部の不要物等を除去することが出来るようにする。一方、削切棒上方（図１−ａ５）にはゴム（又は樹脂）のカバーを被せ、動作時に手と削切棒の滑離防止とする。
（ニ）ゴム板    又、受け皿下面の水虫爪との接触部分にはゴム板（図３−ｃ２）を接着貼付し摩擦による固定力を増加させ、削切作業位置と範囲の一定化を助ける構造とする。
（ホ）動作    （ａ）（ｂ）（ｃ）の３部品をセッティング（図４）し、削切棒下端の削切部（図１−ａ１）を水虫爪上表の削切する位置に置き、固定バンドで足又は手の指に巻いて固定、削切棒上端（図１−ａ５）を手力（手動）で回転又は往復運動させることにより、下端ヤスリ部に回転又は往復の運動をさせ水虫爪上表面から、削切開孔する。
（２）  削切棒製作における棒部と固定運動の為の半球体固定部の連接方法
棒部（図１−ａ４）と半球体固定部（図１−ａ３）の各々に各一ケ所穴を開け、その穴と同径同長の棒を挿入し固定を確実化する一方強力接着剤をもって棒部と半球状部品を連接する。
（３）  削切棒製作における削切機能を持たせる方法
方法（イ）先端部４ｍｍ長にヤスリ目と焼きを入れ削切機能を持たせる前記（１）（ハ）に加え、  方法（ロ）  先端部４ｍｍ長に、サンドペーパーに使用するサンドよりは強度のあるサンドを強力な接着剤をもって接着し削切機能を持たせる。
（４）  固定バンドによる受け皿の固定方法とマジックテープ方式による着脱
爪の削切位置と範囲を一定化する為に受け皿があり、その受け皿を固定するのが固定バンドであるが、固定バンドは上下２枚の基盤帯（図３−ｃ４）からなり、その間に受け皿を挟んで（図３−ｃ１）固定バンドと受け皿を一体固定化する。一方、固定バンドは水虫爪のある足又は手の指に巻き、一体となった受け皿を一定位置に固定（削切作業位置範囲を一定化する為）するが、マジックテープ（図３−ｃ３）とし着脱が容易に出来るものとする。尚、前記（１）（ニ）のとおり受け皿部分の下面にゴム板（図３−ｃ２）を貼付し、摩擦による固定力を増加させる。尚、バンド部（図３−ｃ３、ｃ４）の４層は密着とする。
（５）  家庭治療に必要な器具と薬剤等の物品のセッティング
目的は、水虫爪の治療と解消にあり、薬剤の効用を得て可能となるが、家庭治療であり、自己治療者は、削切開孔器具の他に、どのような器具・物品が治療に必要であるかその知識とノウハウが充分でないことも考えられる。一方、いずれにしても調達準備しなければならない器具や物品であることから、速やかに治療行為に移れる為、便益の為、器具、物品をセットにして提供する。
その構成は（イ）発明の「安全削切開孔器具セット」（（ａ）削切棒、（ｂ）受け皿、（ｃ）固定バンド）（ｄ）６１０ハップ（含む白癬菌の殺菌力ある市販薬剤）等薬剤（ｅ）ピンセット（ｆ）脱脂綿（ｇ）体験記（ｈ）説明書とする。
（６）  水虫爪に関する知識啓蒙と心構えと取組方法の記述書
家庭での自己治療であり、利用者は当初、不安と疑問等を持つことが考えられる。これを解消し乗り越え、自らに行う治療への自信と期待を持ち、成功見通しを得る為、出願者等の体験記、爪水虫に関する公知の知識やデータ、器具の使用方法等を記載した文書を前記用具品と共に提供する。
文書に記述する内容は前記（発明が解決しようとする課題（イ）（ロ））に記載の内容を骨子とする。
【実施例】
【０００７】（１）本発明器具による実施例について、図を参照しながら説明する。
図４は、図１、図２、図３で表した３部品をセットした状態を表す。
（ａ）削切棒（ｂ）受け皿（ｃ）固定バンドの３部品をセッティング（図４）し、削切棒下端の削切部（図１−ａ１）を水虫爪上表の削切する位置に置き、固定バンドで足又は手の指に巻いて固定、削切棒上端（図１−ａ５）を手力（手動）で回転又は往復運動させることにより、下端ヤスリ部に回転又は往復の運動をさせ水虫爪上表面から、削切開孔することが出来る。
（２）治療に必要な器具と物品のセッティング
発明器具（（ａ）削切棒、（ｂ）受け皿、（ｃ）固定バンド）（ｄ）６１０ハップ（含む白癬菌の殺菌力ある市販薬剤）等薬剤  （ｅ）ピンセット  （ｆ）脱脂綿  （ｇ）体験記  （ｈ）説明書をセッティングして、自己治療者に提供する。
（３）水虫爪に関する知識と自己治療取組への啓蒙
出願者等の体験記、爪水虫に関する公知の知識やデータ、器具の使用方法等を記載した文書を提供し、水虫爪解消の必要性理解と自己治療への意欲をもって取組んで貰う。
【産業上の利用可能性】
【０００８】  家庭における、爪水虫の自己治療を安全に行う為に、必要で有益な器具と方法として考案した。
日本において水虫爪に悩む人は１０００〜１２００万人とも言われるが、出願者自身を始め親族や近隣の人、出会う人の中にも同じ悩みを見聞すること多く、前記数字の実態なるを感じる。  又、それらの人は、治療の為の物品、器具、方法や治療機関等を見出せなかったり、時間や費用の制約等あり、一方生活する上で生命に関わるような重大障害にはならないことからストレス感じる一方治療希望を持ちながらも放置している事例が多大である。こうした人々に、家庭において、自らが、安全に治療出来る器具と必要な物品及び方法として考え方ノウハウを提供することで、確実な完治機会と社会総治療コストの節減、更には完治による多くの人々の快適さを実現することが出来る。この器具と方法は、大きな社会有益をもたらすものと考える。
【図面の簡単な説明】
【０００９】
【図１】  削切開孔器具セットの部品の一つである（ａ）削切棒の側面図である。
【図２】  削切開孔器具セットの部品の一つである（ｂ）受け皿の側面図である。
【図３】  削切開孔器具セットの部品の一つである（ｃ）固定バンドの側面図である。
【図４】  ３部品をセットした削切開孔器具セットとして通常使用する状態の側面図である。
【符号の説明】
【００１０】ａ１  削切部          ｂ１  運動中心点        ｃ１  受け皿固定部
ａ２  半球体凸部      ｂ２  半球体凹部        ｃ２  ゴム板
ａ３  半球体固定部    ｂ３  運動中心リング    ｃ３  マジックテープ
ａ４  棒部                                    ｃ４  基盤帯
ａ５  削切棒カバー
【図１】
2006055582.tif 000003
【図２】
2006055582.tif 000004
【図３】
2006055582.tif 000005
【図４】
2006055582.tif 000006